(57)【特許請求の範囲】
【請求項１】
対象物（１０）を内部に配位することのできる包装袋において、
この包装袋は、空気封入部（１）と対象物陳列部（２）とを有し、
空気封入部（１）は、通気性の無い軟質樹脂シートからなり、内部に空気が充填される、形態が枠状である閉鎖された部分であり、
対象物陳列部（２）は、周方向が空気封入部（１）に、前後方向が対象物保持体（２１）に、それぞれ囲まれる空間であり、
対象物保持体（２１）は、空気封入部（１）に囲まれる空間（１１）に対象物（１０）を配位し固定するために、空気封入部（１）の一部から上記の空間（１１）に渡されるものであり、
前側対象物保持体（２１ａ）と後側対象物保持体（２１ｂ）とを備え、
前側対象物保持体（２１ａ）は、空気封入部（１）の前側の側面に対して形成されたものであり、
後側対象物保持体（２１ｂ）は、空気封入部（１）の各部に対して、前後方向における中間部分に位置しており、
空気封入部（１）に空気を充填した状態で、対象物保持体（２１）を通して対象物陳列部（２）に配位された対象物（１０）を目視できるように陳列することが可能であり、
対象物（１０）を、空気封入部（１）が膨らんでいる分、包装袋が置かれた面から浮き上がらせて陳列できることを特徴とする、陳列ケースを兼ねた包装袋。
【請求項２】
２枚のシートが重ね合わされて空気封入部（１）が形成されたものであり、
この空気封入部（１）を構成するシートが、空気封入部（１）に囲まれた空間（１１）に延ばされて、後側対象物保持体（２１ｂ）の形成がなされたことを特徴とする、請求項１に記載の、陳列ケースを兼ねた包装袋。
【請求項３】
２枚のシートが重ね合わされて空気封入部（１）が形成されたものであり、
この空気封入部（１）を構成するシートのうち１枚が、空気封入部（１）に囲まれた空間（１１）に延ばされて後側対象物保持体（２１ｂ）の形成がなされたことを特徴とする、請求項１に記載の、陳列ケースを兼ねた包装袋。
【請求項４】
後側対象物保持体（２１ｂ）が空気封入部（１）の後側の側面に配位され、
この後側対象物保持体（２１ｂ）として、上記の空気封入部（１）を構成するシートとは異なるシートが用いられたことを特徴とする、請求項１に記載の、陳列ケースを兼ねた包装袋。
【請求項５】
対象物保持体（２１）と空気封入部（１）とが一連のシートにより形成されたものであり、
空気封入部（１）を部分によって、空気充填時の大きさを変えることにより、高位部（１ｈ）と低位部（１ｌ）とを形成したものであり、
前側対象物保持体（２１ａ）が、空気封入部（１）に対して一部（２１ｃ）を残して接着されており、接着されない部分（２１ｃ）を通して対象物陳列部（２）に対象物（１０）の出し入れが可能であることを特徴とする、請求項１から４の何れかに記載の、陳列ケースを兼ねた包装袋。
【発明の詳細な説明】
【０００１】
【発明の属する技術分野】
本願発明は、陳列ケースを兼ねた包装袋に関するものである。
【０００２】
【従来の技術】
従来から、衣類や小物等の各種商品を店頭にて陳列することのできる包装材として、透明のプラスチック等の硬質樹脂を成型したものを用い、この中に商品を配位する手段が広く用いられてきた。これによると、各種の形態に成型することが可能であるため、意匠面での効果をあげることができる。しかしながら、この包装材は、廃棄時にも変形しにくいもので嵩張るものであり、廃棄物問題の一因となっていた。
【０００３】
又、プラスチックフィルム等の軟質樹脂シートを用い、このシートを二重袋の構造とし、外袋に空気や液体などの流体を封入し、内袋に商品を配位するという構造の包装袋があった。例えば、実用新案登録第２５３５５４８号や、本願の出願人による特願平１１−３４５３５７等に示されるものである。
これらの包装袋は、外袋に封入された流体を取り出すことにより、廃棄時に減容することができるものである。
【０００４】
【発明が解決しようとする課題】
しかし、上記に例示した前者の包装袋は、外袋の持つ緩衝作用が主な機能で、陳列時の効果は副次的なものである。このため、陳列時に膨張した外袋が邪魔になる場合があり、商品が外部から見えにくいことがあった。
又、後者の包装袋についても、外袋越しに商品を見せることを主な機能としているため、この外袋に色水などを封入し、装飾効果をねらう場合は効果的であるが、その他の場合は、前者のものと同様に、外袋が邪魔をすることがあった。
又、これらの包装袋では、立体的に陳列することにより視覚効果を発揮する点で不満があった。
本願発明はこれらの問題に鑑み、商品をはっきり見せることができる陳列ケースを兼ねた包装袋を提供することを課題とする。
又、本願発明は、立体的に陳列をすることができる陳列ケースを兼ねた包装袋を提供することも課題とする。
【０００５】
【課題を解決するための手段】
上記課題を解決するために、本願第１の発明においては、対象物１０を内部に配位することのできる包装袋において、この包装袋は、空気封入部１と対象物陳列部２とを有し、空気封入部１は、通気性の無い軟質樹脂シートからなり、内部に空気が充填される、形態が枠状である閉鎖された部分であり、対象物陳列部２は、周方向が空気封入部１に、前後方向が対象物保持体２１に、それぞれ囲まれる空間であり、対象物保持体２１は、空気封入部１に囲まれる空間１１に対象物１０を配位し固定するために、空気封入部１の一部から上記の空間１１に渡されるものであり、前側対象物保持体２１ａと後側対象物保持体２１ｂとを備え、前側対象物保持体２１ａは、空気封入部１の前側の側面に対して形成されたものであり、後側対象物保持体２１ｂは、空気封入部１の各部に対して、前後方向における中間部分に位置しており、空気封入部１に空気を充填した状態で、対象物保持体２１を通して対象物陳列部２に配位された対象物１０を目視できるように陳列することが可能であり、対象物１０を、空気封入部１が膨らんでいる分、包装袋が置かれた面から浮き上がらせて陳列できることを特徴とする、陳列ケースを兼ねた包装袋を提供する。
尚、上記の「前後」の表現については、図１に示すように対象物１０が表向きに配位された場合の手前側を前側、奥側を後側と称するものである。これはいずれも相対的な表現であり、これにより、使用時の配置等が特定されるものではない。
【０００６】
本願第２の発明においては、第１の発明において、２枚のシートが重ね合わされて空気封入部１が形成されたものであり、この空気封入部１を構成するシートが、空気封入部１に囲まれた空間１１に延ばされて、後側対象物保持体２１ｂの形成がなされたことを特徴とする陳列ケースを兼ねた包装袋を提供する。
【０００７】
本願第３の発明においては、第１の発明において、２枚のシートが重ね合わされて空気封入部１が形成されたものであり、この空気封入部１を構成するシートのうち１枚が、空気封入部１に囲まれた空間１１に延ばされて後側対象物保持体２１ｂの形成がなされたことを特徴とする陳列ケースを兼ねた包装袋を提供する。
【０００８】
本願第４の発明においては、第１の発明において、後側対象物保持体２１ｂが空気封入部１の後側の側面に配位され、この後側対象物保持体２１ｂとして、上記の空気封入部１を構成するシートとは異なるシートが用いられたことを特徴とする陳列ケースを兼ねた包装袋を提供する。
【０００９】
本願第５の発明においては、第１から第４の何れかの発明において、対象物保持体２１と空気封入部１とが一連のシートにより形成されたものであり、  空気封入部１を部分によって、空気充填時の大きさを変えることにより、高位部１ｈと低位部１ｌとを形成したものであり、前側対象物保持体２１ａが、空気封入部１に対して一部２１ｃを残して接着されており、接着されない部分２１ｃを通して対象物陳列部２に対象物１０の出し入れが可能であることを特徴とする陳列ケースを兼ねた包装袋を提供する。
【００１０】
【発明の実施の形態】
次に、本願発明に係る陳列ケースを兼ねた包装袋の実施の形態の一例について図と共に説明する。図１は本例の包装袋の使用状態を示す斜視図であり、図２は、包装袋の平面図と各状態での断面図である。
尚、この説明においての方向の表現は、前後については、図１に示すように対象物（商品）が表向きに配位された場合の手前側を前側、奥側を後側と称するものである。又、上下左右については、各説明における位置に包装袋を配位した場合のものである。上記それぞれはいずれも相対的な表現であり、これにより、使用時の配置等が特定されるものではない。
【００１１】
本願発明の包装袋を構成するシートには、通気性の無いポリエチレン製等の軟質樹脂シートが用いられている。このシートに対して熱圧着等の手段により、本例では、図２（Ｃ）に示すように外周部１３が連続的に形成されると共に、この外周部１３から所定の間隔をおいて帯状の内側部１４が連続的に形成されている（それぞれ、図２（Ｃ）にてハッチングを記した部分）。上記のように形成された外周部１３と内側部１４との間に位置する部分が、空気封入部１となる。この空気封入部１は閉ざされた空間を有するため、空気を充填した際に空気封入部１の形成される部分だけが膨張して、空気の入らない中央部分１１が平面視で凹んだ状態となり、包装袋の外観が額縁状あるいはドーナツ状のものとなる。本例では、この外観は図１に示すような額縁状であり、上枠１ａ，下枠１ｂ，左枠１ｃ，右枠１ｄからなるものである。又、後述する対象物保持体２１と空気封入部１とは一連のシートにより形成されている。
尚、外周部１３と内側部１４は、図２（Ｃ）に示すような、平面視が帯状となるものに限られるものではなく、シートの重ね合わせ方を工夫することによって、継ぎ目を目立たないように形成するものとしても良いし、上記に示した以外の位置でシートを継ぎ合わせるものとしても良い。
【００１２】
本例では、透明なシートを図２に示すように、２枚重ね合わせたものを用いて空気封入部１を形成しているが、シート１枚を折りたたんだものとしても良く、あるいは着色したシートを用いるものであっても良い。
又、包装袋の外観の形状についても、本例のような平面視長方形のものに限定されるものではなく、円形や多角形等種々の形状となるように実施して良い。
【００１３】
空気封入部１は、本例では内部が周方向につながったものであるが、熱圧着等の手段により、シール部分を別に形成して小胞に区画するものとしても良い。又、空気封入部１の内部にリボンや小風船等の装飾材料をあらかじめ配位しておいて、これにより装飾を行うものとしても良い。
又、この空気封入部１は、包装袋の製造時に同時に空気を充填して、その後完全に密封するものとしても良いし、空気封入部１に空気注入口や逆止弁を設けておき、随時空気を充填したり排出したりできるようにしても良い。又、脱気用のチャックを別に設けるものとしても良い。
空気封入部１の空気充填時の断面は、本例では、図２（Ｂ）に示すような略円形であるが、シール部分を適宜形成することにより、空気を充填した際に多角形断面となるようにしても良い。
つまり、空気封入部１については種々に形態を変更して実施が可能である。
【００１４】
上記の空気封入部１に囲まれる中央部分１１の一部あるいは全部が対象物陳列部２として区画され、図１に示すように、この部分に商品１０が配位される。
対象物陳列部２には対象物保持体２１が設けられており、商品１０はこの対象物保持体２１によって保持される。対象物保持体２１は、空気封入部１から中央部分１１に渡されるものものである。これは、軟質樹脂シートや、紙や、網状のシート等種々のものを使用し得る。
本例では、図２（Ｂ）に示すように、前側対象物保持体２１ａと後側対象物保持体２１ｂとを備え、空気封入部１を構成する軟質樹脂シートと一連のもので２枚重ねとなっている。そして前側対象物保持体２１ａは、空気封入部１（左枠１ｃ）から左側に延ばされたシートが折り返され、空気封入部１の前側の側面に対して、後述する非接着部２１ｃを除き接着がなされることにより形成されている。
この対象物保持体２１を形成する位置は、本例のものに限られず、中央部分１１のどの部分であっても良い。例えば図３（Ｃ）に示すように、空気封入部１に接するようにして別のシートを接着し、前側対象物保持体２１ａ及び後側対象物保持体２１ｂを形成することにより、空間部１１の全部を対象物陳列部２としても良い。
【００１５】
尚、この対象物保持体２１を構成する材料は、平面状の形態のものに限られず、例えば紐状や帯状のものを用いても良い。尚、対象物保持体２１が、本例の軟質樹脂シート等、平面状の形態のものからなる場合、この対象物保持体２１（本例では前側対象物保持体２１ａ）は、空気封入部１を構成するシートに一部（本例では非接着部２１ｃ）を除き接着されている。そして、接着されない部分（本例では非接着部２１ｃ）は、商品を対象物陳列部に出し入れする部分となる。本例では図２（Ｃ）に示すように、前側対象物保持体２１ａの一端が非接着部２１ｃを越えて右方に延ばされており、包装袋を閉鎖する際には、この部分を包装袋の後側に巻き込む。
尚、上記の接着されない部分の対象物保持体２１については、シートを省略したものとし、常時開口した状態の包装袋としても良い。
【００１６】
図３に他の実施例についての、空気封入部１から中央部分１１にかけて空気封入部の周方向に直交する断面における断面図を示す。
図３（Ａ）に示すものは、後側対象物保持体２１ｂについては図２に示すものと同様で、空気封入部１を形成するシートがそのまま中央部分１１に延ばされるものであり、中央部分１１において、シートが２枚重ねとなっている。それに対して前側対象物保持体２１ａは、上記のシートとは異なるシートが１枚用いられている。
図３（Ｂ）に示すものは、後側対象物保持体２１ｂについて、片側のシートが内側部１４よりも中央部分１１寄りにおいて省略されたものであり、中央部分１１において、シートは１枚のみとなっている。尚、前側対象物保持体２１ａは上記のものと同様である。
図３（Ｃ）に示すものは、中央部分１１において、全てのシートが省略されたものである。つまり中央部分１１が中空となっている。前側対象物保持体２１ａは空気封入部１の前側の側面に、後側対象物保持体２１ｂは空気封入部１の後側の側面に、それぞれ、空気封入部１を形成するシートとは異なるシート１枚が用いられて構成されている。
上記に示すものの他にも、中央部分１１においてのシート形状は、種々に変更して実施することができる。
【００１７】
対象物保持体２１は、図２（Ｂ）に示すように、この部分のシートが２枚重ねとなっている場合、このシート同士の間１２に、デザインされた色紙や着色シート、押し花等の略平面状の装飾物を挟み込むか、あるいは、図４に示すように、この対象物保持体２１のシート同士を熱圧着等の手段により接着することによって模様２１ｄを形作り、装飾をすることができる。
【００１８】
この包装袋に配位された商品１０を陳列する際は、図１に示すように、空気封入部１に空気が充填された状態で行う。
この包装袋を陳列棚に対して平面状に、つまり包装袋の前側が上を向くように置く場合は、対象物陳列部２に配位された商品１０を、陳列棚の面から空気封入部１が膨らんでいる分、浮き上がらせることができる。これにより、視覚効果を高めた陳列をすることができる。
又、陳列棚が縦置きのものである場合、この包装袋を立て掛けるようにして配位することも可能であり、上記と同様の効果を期待できる。
尚、陳列棚から下ろした際（販売時）には、空気封入部１の空気を抜くものとして、邪魔にならないようにしても良いし、そのままの状態であっても良い。
【００１９】
他の実施の形態として、空気封入部１を部分によって、例えば図５各図に示すように、空気充填時の大きさを変えることにより、高位部１ｈと低位部１ｌを形成することができる。図５（Ａ）では、上方向が高位部１ｈで、下方向が低位部１ｌで、左右方向が連結部１ｍとなるように形成されている。本例においては、後側対象物保持体２１ｂは空気封入部１の各部に対して、前後方向における中間部分に位置しており、空気封入部１に空気を充填した場合は、高位部１ｈの方が低位部１ｌよりも大きく膨らむため、対象物陳列部２に配位された商品１０は図６に示すように、視線Ｌの方向で見た場合、高位部１ｈの側に行くに従いせり上がるように配位される。このため、空気封入部１が全周において均一の高さである場合に比べると、陳列時の視覚効果をより高めることができる。
【００２０】
尚、図示はしないが、上記の高位部１ｈに対して台座となる部分を形成し、この包装袋を高位部１ｈが下方になるように立てて配位できる形態としても良い。
【００２１】
【発明の効果】
本願発明においては、空気封入部に空気を充填して陳列することにより、対象物（商品）を視覚効果を高めて陳列することができる。
特に、本願第５の発明においては、上記の効果に加え、空気封入部に高位部と低位部とをそれぞれ形成することにより、より視覚効果を高めることができる。又、対象物保持体に接着されない部分を形成することにより、対象物（商品）を包装袋に出し入れ自在とすることができる。
【図面の簡単な説明】
【図１】本願発明の実施の一例に係る包装袋の使用状態を示す斜視図である。
【図２】（Ａ）は空気封入部に空気を充填する前の状態を示す断面図である（（Ｃ）のＡ−Ａ断面図）。（Ｂ）は空気封入部に空気を充填した状態を示す断面図である（（Ｃ）のＡ−Ａ断面図）。（Ｃ）は本例の包装袋の平面図である。
【図３】本願発明の他の実施の一例に係る包装袋の空気封入部と中央部分を示す断面図であり、（Ａ）は空気封入部を形成するシートがそのまま中央部分に延ばされたものであり、（Ｂ）は片側のシートが内側部よりも中央部分寄りにおいて省略されたものであり、（Ｃ）は中央部分において、全てのシートが省略されたものを示す。
【図４】本願発明に係る包装袋の更に他の実施の一例を示す斜視図である。
【図５】本願発明に係る包装袋の更に他の実施の一例を示す図であり、（Ａ）は平面図、（Ｂ）は背面図、（Ｃ）は正面図、（Ｄ）は右側面図である。
【図６】図５に示した包装袋に対象物を配位した状態を示す右側面図である。
【符号の説明】
１      空気封入部
１０    対象物、商品
１１    空間、中央部分
１２    シートの間
１ｈ    高位部
１ｌ    低位部
２      対象物陳列部
２１    対象物保持体
２１ａ  前側対象物保持体
２１ｂ  後側対象物保持体
２１ｃ  対象物保持体の接着されない部分（非接着部）
【図１】
0003803044.tif 000002
【図２】
0003803044.tif 000003
【図３】
0003803044.tif 000004
【図４】
0003803044.tif 000005
【図５】
0003803044.tif 000006
【図６】
0003803044.tif 000007